(57)【要約】【課題】監視対象である無線アクセス装置の情報を予め登録する必要がなく、装置を簡略化することのできる無線ネットワークシステムを実現する。【解決手段】  無線アクセス装置は、接続状態にある隣接無線アクセス装置の情報を示すＰｏｒｔ行列と、接続状態にある隣接無線アクセス装置に変化があった場合にＰｏｒｔ行列を更新するＰｏｒｔ行列更新処理部と、Ｐｏｒｔ行列が更新されたときに監視制御装置へその旨を通知する状態変化通知部とを具備し、監視制御装置は、監視対象を有線Ｐｏｒｔを介して接続されている無線アクセス装置および該無線アクセス装置に接続する隣接無線アクセス装置とし、これらの情報を示す監視対象リストと、状態変化通知部からの通知に応じて監視対象リストを更新する監視状況判断処理部と、を具備する。【選択図】図３Ａ
2007208703.tif 000002
【特許請求の範囲】
【請求項１】
監視制御装置と、
少なくとも一つ以上の無線Ｐｏｒｔと一つ以上の有線Ｐｏｒｔを備え、該有線Ｐｏｒｔを介して前記監視制御装置と接続する無線アクセス装置と、
前記無線アクセス装置と前記無線Ｐｏｒｔもしくは有線Ｐｏｒｔを介して接続する隣接無線アクセス装置と、からなり、
前記無線アクセス装置は、
接続状態にある前記隣接無線アクセス装置の情報を示すＰｏｒｔ行列と、
接続状態にある前記隣接無線アクセス装置に変化があった場合に前記Ｐｏｒｔ行列を更新するＰｏｒｔ行列更新処理部と、
前記Ｐｏｒｔ行列が更新されたときに前記監視制御装置へその旨を通知する状態変化通知部とを具備し、
前記監視制御装置は、監視対象を前記有線Ｐｏｒｔを介して接続されている前記無線アクセス装置および該無線アクセス装置に接続する隣接無線アクセス装置とし、これらの情報を示す監視対象リストと、
前記状態変化通知部からの通知に応じて前記監視対象リストを更新する監視状況判断処理部と、を具備する無線アクセス装置監視制御システム。
【請求項２】
請求項１記載の無線アクセス装置監視制御システムにおいて、
監視制御装置は、状態変化通知部からＰｏｒｔ行列が更新された旨の通知を受けると、Ｐｏｒｔ行列更新処理部よりＰｏｒｔ行列を取得し、監視対象リストに登録されていないあらたな隣接無線アクセス装置の情報が含まれている場合にはあらたな隣接無線アクセス装置を監視対象として前記監視対象リストを更新することを特徴とする無線アクセス装置監視制御システム。
【請求項３】
請求項１または請求項２記載の無線アクセス装置監視制御システムにおいて、
監視制御装置は、状態変化通知部からＰｏｒｔ行列が更新された旨の通知を受けると、Ｐｏｒｔ行列更新処理部よりＰｏｒｔ行列を取得し、監視対象リストに登録されていた隣接無線アクセス装置の情報が含まれていない場合にはその隣接無線アクセス装置を監視対象から外すこととして前記監視対象リストを更新することを特徴とする無線アクセス装置監視制御システム。
【請求項４】
少なくとも一つ以上の無線Ｐｏｒｔと一つ以上の有線Ｐｏｒｔを備え、接続状態にある隣接無線アクセス装置の情報を示すＰｏｒｔ行列と、接続状態にある前記隣接無線アクセス装置に変化があった場合に前記Ｐｏｒｔ行列を更新するＰｏｒｔ行列更新処理部と、前記Ｐｏｒｔ行列が更新されたときに前記監視制御装置へその旨を示す通知を出力する状態変化通知部とを具備する無線アクセス装置とともに無線アクセス装置監視制御システムを構成する監視制御装置であって、
監視対象を前記有線Ｐｏｒｔを介して接続されている前記無線アクセス装置および該無線アクセス装置に接続する隣接無線アクセス装置とし、これらの情報を示す監視対象リストと、
前記状態変化通知部からの通知に応じて前記監視対象リストを更新する監視状況判断処理部と、を具備する監視制御装置。
【請求項５】
請求項４記載の監視制御装置において、
状態変化通知部からＰｏｒｔ行列が更新された旨の通知を受けると、Ｐｏｒｔ行列更新処理部よりＰｏｒｔ行列を取得し、監視対象リストに登録されていないあらたな隣接無線アクセス装置の情報が含まれている場合にはあらたな隣接無線アクセス装置を監視対象として前記監視対象リストを更新することを特徴とする監視制御装置。
【請求項６】
請求項４または請求項５記載の監視制御装置において、
状態変化通知部からＰｏｒｔ行列が更新された旨の通知を受けると、Ｐｏｒｔ行列更新処理部よりＰｏｒｔ行列を取得し、監視対象リストに登録されていた隣接無線アクセス装置の情報が含まれていない場合にはその隣接無線アクセス装置を監視対象から外すこととして前記監視対象リストを更新することを特徴とする監視制御装置。
【請求項７】
監視制御装置とともに無線アクセス装置監視制御システムを構成する無線アクセス装置であって、
少なくとも一つ以上の無線Ｐｏｒｔと一つ以上の有線Ｐｏｒｔを備え、該有線Ｐｏｒｔを介して前記監視制御装置と接続し、
接続状態にある前記隣接無線アクセス装置の情報を示すＰｏｒｔ行列と、
接続状態にある前記隣接無線アクセス装置に変化があった場合に前記Ｐｏｒｔ行列を更新するＰｏｒｔ行列更新処理部と、
前記Ｐｏｒｔ行列が更新されたときに前記監視制御装置へその旨を通知する状態変化通知部とを具備する無線アクセス装置。
【発明の詳細な説明】
【技術分野】
【０００１】
本発明は、複数の無線アクセス装置と、各無線アクセス装置の状態を管理する監視制御装置とからなるシステムに関する。
【背景技術】
【０００２】
一般的にネットワーク機器の監視制御にはＳＮＭＰ（Simple Network Management Protocol）プロトコルが用いられ、被監視制御装置は監視制御装置と共有する情報源として、被監視制御装置開発者が定義するＭＩＢ（Management Information Base）と呼ばれる監視制御データベースを有する。
【０００３】
監視制御装置が被監視制御装置のＭＩＢ情報を得る手段には、監視制御装置が被監視制御装置に対して"GET"と呼ばれるＭＩＢ情報の取得要求を送信することで、被監視制御装置が該当項目の情報を格納した"GET RESPONSE"を返信して監視制御装置が必要なＭＩＢ情報を得る手段と、"ＴＲＡＰ"と呼ばれ、状態変化があったタイミングで被監視制御装置から監視制御装置に対して一方的に送信される通知により監視制御装置が情報を得る手段の二種類がある。
【０００４】
また、無線ネットワークシステムにおけるネットワーク機器の監視制御として特許文献１（特開２０００−２８１０８４号公報）に記載されたシステムがある。
【０００５】
特許文献１に開示されるシステムは、ＭＰＬＳ(Multi Protocol Label Switching)方式を用いたＶＰＮ（Virtual Private Network）サービスにおいて、ＰＥルータに関する情報およびＣＥルータに関する情報を定期的に入手する入手手段と、入手されたＰＥルータに関する情報とＣＥルータに関する情報とを対応させることによりＣＥルータの監視に用いる監視対象情報をＰＥルータ毎に作成する作成手段と、作成された監視対象情報を登録し管理する管理手段と、この登録された監視対象情報に基づきＰＥルータを介してＣＥルータの起動状態を監視する監視手段と、を設ける構成が開示されている。
【特許文献１】特開２０００−２８１０８４号公報
【発明の開示】
【発明が解決しようとする課題】
【０００６】
特許文献１に開示される無線ネットワークシステムでは、Ｅルータに関する情報およびＣＥルータに関する情報を定期的に入手し、入手されたＰＥルータに関する情報とＣＥルータに関する情報とを対応させることによりＣＥルータの監視に用いる監視対象情報をＰＥルータ毎に作成し、管理手段がこれを登録して管理する構成とされているため、装置構成が大型化するという問題点がある。
【０００７】
本発明は上述したような従来の技術が有する問題点に鑑みてなされたものであって、監視制御装置が監視対象である無線アクセス装置の情報を予め登録する必要がなく、装置を簡略化することのできる無線ネットワークシステムを実現することを目的とする。
【課題を解決するための手段】
【０００８】
本発明の無線アクセス装置監視制御システムは、監視制御装置と、
少なくとも一つ以上の無線Ｐｏｒｔと一つ以上の有線Ｐｏｒｔを備え、該有線Ｐｏｒｔを介して前記監視制御装置と接続する無線アクセス装置と、
前記無線アクセス装置と前記無線Ｐｏｒｔもしくは有線Ｐｏｒｔを介して接続する隣接無線アクセス装置と、からなり、
前記無線アクセス装置は、
接続状態にある前記隣接無線アクセス装置の情報を示すＰｏｒｔ行列と、
接続状態にある前記隣接無線アクセス装置に変化があった場合に前記Ｐｏｒｔ行列を更新するＰｏｒｔ行列更新処理部と、
前記Ｐｏｒｔ行列が更新されたときに前記監視制御装置へその旨を通知する状態変化通知部とを具備し、
前記監視制御装置は、監視対象を前記有線Ｐｏｒｔを介して接続されている前記無線アクセス装置および該無線アクセス装置に接続する隣接無線アクセス装置とし、これらの情報を示す監視対象リストと、
前記状態変化通知部からの通知に応じて前記監視対象リストを更新する監視状況判断処理部と、を具備する。
【０００９】
本発明の監視制御装置は、少なくとも一つ以上の無線Ｐｏｒｔと一つ以上の有線Ｐｏｒｔを備え、接続状態にある隣接無線アクセス装置の情報を示すＰｏｒｔ行列と、接続状態にある前記隣接無線アクセス装置に変化があった場合に前記Ｐｏｒｔ行列を更新するＰｏｒｔ行列更新処理部と、前記Ｐｏｒｔ行列が更新されたときに前記監視制御装置へその旨を示す通知を出力する状態変化通知部とを具備する無線アクセス装置とともに無線アクセス装置監視制御システムを構成する監視制御装置であって、
監視対象を前記有線Ｐｏｒｔを介して接続されている前記無線アクセス装置および該無線アクセス装置に接続する隣接無線アクセス装置とし、これらの情報を示す監視対象リストと、
前記状態変化通知部からの通知に応じて前記監視対象リストを更新する監視状況判断処理部と、を具備する。
【００１０】
上記のいずれにおいても、監視制御装置は、
状態変化通知部からＰｏｒｔ行列が更新された旨の通知を受けると、Ｐｏｒｔ行列更新処理部よりＰｏｒｔ行列を取得し、監視対象リストに登録されていないあらたな隣接無線アクセス装置の情報が含まれている場合にはあらたな隣接無線アクセス装置を監視対象として前記監視対象リストを更新することとしてもよい。
【００１１】
また、状態変化通知部からＰｏｒｔ行列が更新された旨の通知を受けると、Ｐｏｒｔ行列更新処理部よりＰｏｒｔ行列を取得し、監視対象リストに登録されていた隣接無線アクセス装置の情報が含まれていない場合にはその隣接無線アクセス装置を監視対象から外すこととして前記監視対象リストを更新することとしてもよい。
【００１２】
本発明の無線アクセス装置は、監視制御装置とともに無線アクセス装置監視制御システムを構成する無線アクセス装置であって、
少なくとも一つ以上の無線Ｐｏｒｔと一つ以上の有線Ｐｏｒｔを備え、該有線Ｐｏｒｔを介して前記監視制御装置と接続し、
接続状態にある前記隣接無線アクセス装置の情報を示すＰｏｒｔ行列と、
接続状態にある前記隣接無線アクセス装置に変化があった場合に前記Ｐｏｒｔ行列を更新するＰｏｒｔ行列更新処理部と、
前記Ｐｏｒｔ行列が更新されたときに前記監視制御装置へその旨を通知する状態変化通知部とを具備する。
【発明の効果】
【００１３】
本発明において監視制御装置が無線アクセス装置を監視制御する場合には、アプリケーション層における何らかの監視制御プロトコルを用い、無線アクセス装置はＳＮＭＰのＭＩＢに相当する監視制御データベースを有し、また、"ＴＲＡＰ"に相当する状態変化通知手段を有することで、無線アクセス装置内部の状態変化を監視制御装置に送信できることとする。
【００１４】
上記の構成による第一の効果は、無線アクセス装置が隣接する無線アクセス装置の情報をＰｏｒｔ行列として有することで、監視制御装置が監視対象とする無線アクセス装置群の接続構成情報をあらかじめ登録しなくても、接続構成情報を有することが可能となり装置を小型化することができる。
【００１５】
本発明では少なくとも一つ以上の無線Ｐｏｒｔと一つ以上の有線Ｐｏｒｔを持つため、無線アクセス装置群の接続構成が複雑になるが、個々の無線アクセス装置にてＰｏｒｔ行列として隣接する無線アクセス装置の接続構成を有することで、監視制御装置は全無線アクセス装置からＰｏｒｔ行列を取得することで、全無線アクセス装置群の接続構成を知ることが可能となる。
【００１６】
第二の効果は、前記する無線アクセス装置が有するＰｏｒｔ行列について、隣接する無線アクセス装置の情報に変更があった時点で変更のあったＰｏｒｔ行列を有する無線アクセス装置から監視制御装置に対して動的に通知する機能を有することで、監視制御装置が監視制御下におくべき無線アクセス装置を自動認識することが可能となる。
【発明を実施するための最良の形態】
【００１７】
次に、本発明の実施例について図面を参照して説明する。
【００１８】
図１は本発明による無線アクセス装置監視制御システムの構成を示す図である。
【００１９】
図１に示すシステムは、無線アクセス装置の監視制御を行う監視制御装置１０と、監視対象となる６台の無線アクセス装置１１〜１６から構成されている。監視制御装置１０と先頭となる無線アクセス装置１１は同一有線ネットワーク１０１上に存在し、無線アクセス装置１１は局舎１２１に設置されている。
【００２０】
局舎１２２に設置されている無線アクセス装置１２は、無線アクセス装置１１と無線ネットワーク１１１を形成し、無線アクセス装置１３と無線ネットワーク１１２を形成する。
【００２１】
有線ネットワーク１０２を形成する無線アクセス装置１３と無線アクセス装置１４は、ともに局舎１２３に設置されている。
【００２２】
無線アクセス装置１４は、無線アクセス装置１５と無線ネットワーク１１３を形成し、無線アクセス装置１６と無線ネットワーク１１４を形成している。無線アクセス装置１５は局舎１２４に設置され、無線アクセス装置１６は局舎１２５に設置されている。
【００２３】
局舎１２１，１２２，１２３，１２４，１２５は互いに一定以上の距離を有するように設置されている。
【００２４】
本発明が対象とする無線アクセス装置は監視制御装置１０との間に存在する別の無線アクセス装置および有線ネットワーク・無線ネットワークを経由して監視制御装置１０によって監視・制御される。
【００２５】
以下に、図２および図３を参照して監視制御装置と無線アクセス装置との関係を説明する。
【００２６】
図２は監視制御装置２１（図１における監視制御装置１０）と監視制御対象となる無線アクセス装置２２〜２４（図１における無線アクセス装置１１）間の通信の様子を示したプロトコルスタック例である。
【００２７】
図２において、監視制御装置２１はＥｔｈｅｒｎｅｔやＰＰＰなどの有線インターフェースを持つデータリンク層２１１０、ネットワーク層２１２０、トランスポート層２１３０、ＳＮＭＰなどの制御プロトコルを含むアプリケーション層２１４０から成る。
【００２８】
無線アクセス装置２２，２３，２４はデータリンク層における有線インターフェース２２１１，２３１３，２４１３と複数の無線Ｐｏｒｔを持つ無線アクセス装置であることから無線インターフェース２２１２と２２１３、２３１１と２３１２、２４１１と２４１２を各々２つ有し、さらにネットワーク層２２２０，２３２０，２４２０、トランスポート層２２３０，２３３０，２４３０、アプリケーション層２２４０，２３４０，２４４０から構成されている。
【００２９】
監視制御装置２１と無線アクセス装置２２間において、有線インターフェース２１１０と２２１１間の有線通信２１１が開始され、ネットワーク層における通信２２１、トランスポート層における通信２３１が可能なとき、監視制御装置２１はＳＮＭＰなど監視制御プロトコルによる通信２４１を用いて無線アクセス装置２２の監視制御を行う。
【００３０】
また、無線アクセス装置２２と無線アクセス装置２３間において、無線インターフェース２２１２と２３１１間の無線通信２１２が開始されているとき、監視制御装置２１は有線通信２１１と無線通信２１２を経由して無線アクセス装置２３の監視制御を行う。
【００３１】
更に無線アクセス装置２２と無線アクセス装置２４間において、無線インターフェース２２１３と２４１１間の無線通信２１３が開始されているとき、監視制御装置２１は有線通信２１１と無線通信２１３を経由して無線アクセス装置２４の監視制御を行う。
【００３２】
図１の無線アクセス装置１３，１４のように無線アクセス装置間が有線通信により接続されている場合には、無線アクセス装置２３もしくは２４の有線インターフェース２３１３または２４１３と新たな無線アクセス装置の有線インターフェースとで通信を開始することで、監視制御装置２１からの監視制御が可能となる。
【００３３】
次に、監視制御装置に監視対象とする無線アクセス装置群の接続構成情報をあらかじめ登録しなくても、無線アクセス装置が隣接する無線アクセス装置の情報を監視制御装置に対し動的に通知する機能を有するための内部構成例を図３Ａ、図３Ｂを参照して説明する。
【００３４】
尚、本発明では少なくとも一つ以上の無線Ｐｏｒｔと一つ以上の有線Ｐｏｒｔを持つ無線アクセス装置を監視制御対象とすることから、図３Ｂ（ａ）のＰｏｒｔ行列３１１に示すように、合計で３つ以上のＰｏｒｔを有する無線アクセス装置として示している。無線Ｐｏｒｔと有線Ｐｏｒｔの比率は言及しないが、少なくとも一つ以上の無線Ｐｏｒｔと一つ以上の有線Ｐｏｒｔを持つこととする。
【００３５】
無線アクセス装置３１（図１における無線アクセス装置１１、図２における無線アクセス装置２２〜２４）は隣接する無線アクセス装置の情報をＰｏｒｔ行列３１１として保持し、Ｐｏｒｔ行列３１１に状態変化があった場合は、Ｐｏｒｔ行列更新処理部３１３にてＰｏｒｔ行列３１１を更新し、状態変化通知部３１２から監視制御装置３２（図１における監視制御装置１０、図２における監視制御装置２１）に対して状態変化を通知する。
【００３６】
無線アクセス装置３１は監視制御装置３２からＰｏｒｔ行列の取得要求を受けた場合、送受信部３１４にて要求を受付けＰｏｒｔ行列３１１のデータを送受信部３１４から送信する。
【００３７】
無線アクセス装置３１は監視制御装置３２から隣接する無線アクセス装置に対する切断要求があった場合、送受信部３１４にて要求を受付け、Ｐｏｒｔ行列更新処理部３１３にて隣接する無線アクセス装置とのデータリンク層における接続切断処理を行い、Ｐｏｒｔ行列３１１を更新する。
【００３８】
図３Ｂ（ａ）に示すように、Ｐｏｒｔ行列３１１は「Ｐｏｒｔ番号」列３１１１と各Ｐｏｒｔとデータリンク層における通信が確立した相手先の情報を保持する「隣接無線アクセス装置ＩＰアドレス」列３１１２からなり、無線アクセス装置が有するＰｏｒｔ数の行から成る。
【００３９】
データリンク層における通信が確立した場合、「隣接無線アクセス装置ＩＰアドレス」列３１１２には通信が確立した相手先のＩＰアドレス情報を格納し、Ｐｏｒｔの通信相手先がない場合は"０．０．０．０"といった初期値を設定する。
【００４０】
監視制御装置３２は監視制御対象である無線アクセス装置の管理用情報として、無線アクセス装置から取得したＰｏｒｔ行列を元に作成された監視対象リスト３２１を有する。
【００４１】
監視制御装置３２は無線アクセス装置からＰｏｒｔ行列に状態変化があったことを示す通知を状態変化通知処理部３２２にて受信した場合、前記無線アクセス装置が持つＰｏｒｔ行列の情報を取得するため、送受信部３２４からＰｏｒｔ行列取得要求を送信する。
【００４２】
監視制御装置３２は無線アクセス装置３１からＰｏｒｔ行列取得要求結果を送受信部３２４から受信した場合、Ｐｏｒｔ行列取得要求結果は監視対象判別処理部３２３に渡される。監視対象判別処理部３２３は、Ｐｏｒｔ行列取得要求結果の示す内容が、無線アクセス装置の隣接状態が適切であるかを判断し、問題がなければ監視対象リスト３２１を更新する。問題がある場合は送受信部３２４から無線アクセス装置に対して、隣接する無線アクセス装置に対する切断要求を送信する。
【００４３】
なお、無線アクセス装置３１および監視制御装置３２は、入出力装置、記憶装置および制御装置からなる一般的なコンピュータシステムにより構成されるもので、Ｐｏｒｔ行列３１１および監視対象リスト３２１は記憶装置に格納される。状態変化通知部３１２、Ｐｏｒｔ行列更新処理部３１３、監視対象判別処理部３２３、状態変化通知処理部３２２は制御部により構成され、送受信部３１４、３２４および図２に示したリンクは入出力装置により構成される。
【００４４】
監視対象リスト３２１は、図３Ｂ（ｂ）に示すように、現在監視対象下にある無線アクセス装置のＩＰアドレスを示す「監視対象無線アクセス装置」列３２１１と監視対象下にある無線アクセス装置が有する無線Ｐｏｒｔまたは有線Ｐｏｒｔの通信相手先の情報を保持する「隣接無線アクセス装置ＩＰアドレス」列３２１２から成る。
【００４５】
「隣接無線アクセス装置ＩＰアドレス」列３２１２は無線アクセス装置が有するＰｏｒｔの数だけ存在する。「隣接無線アクセス装置ＩＰアドレス」列３２１２には、該当Ｐｏｒｔと通信が確立した相手先のＩＰアドレス情報を格納し、Ｐｏｒｔの通信相手先がない場合は"０．０．０．０"といった初期値を設定する。
【００４６】
監視対象リスト３２１には監視対象判別処理部３２３での判断結果により、動的に行が削除／追加される。
【００４７】
次に、本実施例の動作について説明する。
【００４８】
本実施例の無線アクセス装置監視制御システムは、無線アクセス装置が隣接する無線アクセス装置の情報を監視制御装置に対し動的に通知する機能を有する。このため、監視制御装置に監視対象とする無線アクセス装置群の接続構成情報をあらかじめ登録しなくても、監視制御装置が監視制御下におくべき全無線アクセス装置を自動認識することが可能となる。この動作について、以下に詳細に説明する。
【００４９】
図４Ａ、図５Ａは本実施例の動作を示すフローチャートである。
【００５０】
図４Ａには、監視制御装置４１（図１における監視制御装置１０、図２における監視制御装置２１、図３Ａにおける監視制御装置３１）が任意の無線アクセス装置群の監視制御を開始した状態にあって、新たな無線アクセス装置が追加された場合の動作を示す。
【００５１】
図５Ａには、監視制御装置５１（図１における監視制御装置１０、図２における監視制御装置２１、図３Ａにおける監視制御装置３１、図４Ａにおける監視制御装置４１）が任意の無線アクセス装置群の監視制御を開始した状態にあって、ある無線アクセス装置が削除された場合の動作を示す。
【００５２】
図４は監視制御装置４１、既に監視制御下にある無線アクセス装置４２（図１における無線アクセス装置１１、図２における無線アクセス装置２２〜２４、図３Ａにおける無線アクセス装置３１）、無線アクセス装置４２と有線または無線インターフェースを介して接続しようとする新規無線アクセス装置４３から成る。
【００５３】
無線アクセス装置４２，４３は少なくとも有線または無線のいずれかで同じインターフェースであるＰｏｒｔＸ，Ｙを有する。
【００５４】
無線アクセス装置４２はＰｏｒｔＸを、無線アクセス装置４３はＰｏｒｔＹを用いて無線アクセス装置間接続を行うものとし、無線アクセス装置４２のＩＰアドレスはｉｐＡｄｄ−００１、無線アクセス装置４３のＩＰアドレスはｉｐＡｄｄ−００２とする。
【００５５】
図４Ｂ（ａ）に示すように、無線アクセス装置４２が既に監視制御下にあることから、監視制御装置４１が持つ監視対象リスト４１１には、「監視対象無線アクセス装置」列に"ｉｐＡｄｄ−００１"、「隣接無線アクセス装置ＩＰアドレス／ＰｏｒｔＸ」列に"０．０．０．０"の情報を持つ行４１１１が存在する。
【００５６】
「隣接無線アクセス装置ＩＰアドレス／ＰｏｒｔＹ」列は、ＰｏｒｔＹを使用していなければ"０．０．０．０"、別の無線アクセス装置と接続中であればその無線アクセス装置のＩＰアドレス情報が格納される。
【００５７】
図４Ａを参照して本実施例の動作について具体的に説明する。
【００５８】
無線アクセス装置４２のＰｏｒｔＸと無線アクセス装置４３のＰｏｒｔＹとでデータリンク層において接続を開始した状態＜Ｓ４００１＞になると、無線アクセス装置４２のＰｏｒｔ行列のＰｏｒｔＸの欄に無線アクセス装置４３のＩＰアドレス情報が登録されるため＜Ｓ４００２＞、無線アクセス装置４２は状態変化通知部から監視制御装置４１に対して状態変化を通知する＜Ｓ４００３＞。
【００５９】
監視制御装置４１は無線アクセス装置４２からＰｏｒｔ行列に状態変化があったことを示す通知を状態変化通知処理部３２２（図３Ａ参照）にて受信すると、無線アクセス装置４２が持つＰｏｒｔ行列の情報を取得するため、送受信部３２４（図３Ａ参照）から無線アクセス装置４２に対してＰｏｒｔ行列取得要求を送信する＜Ｓ４００４＞。
【００６０】
無線アクセス装置４２は監視制御装置４１からＰｏｒｔ行列の取得要求を受信すると、Ｐｏｒｔ行列のデータを送受信部３１４（図３Ａ参照）から送信する＜Ｓ４００５＞。
【００６１】
＜Ｓ４００５＞で送信されるＰｏｒｔ行列４２１には、図４Ｂ（ｃ）に示すように「Ｐｏｒｔ番号」列に"ＰｏｒｔＸ"、「隣接無線アクセス装置ＩＰアドレス」列に"ｉｐＡｄｄ−００２"の情報をもつ行４２１１が存在する。"ＰｏｒｔＹ"の「隣接無線アクセス装置ＩＰアドレス」については、ＰｏｒｔＹを使用していなければ"０．０．０．０"、別の無線アクセス装置と接続中であればその無線アクセス装置のＩＰアドレス情報が格納される。
【００６２】
監視制御装置４１は無線アクセス装置４２からＰｏｒｔ行列取得要求結果を送受信部３２４から受信すると、Ｐｏｒｔ行列取得要求結果を監視対象判別処理部３２３（図３Ａ参照）に渡し、無線アクセス装置４２に隣接する無線アクセス装置４３が監視制御下に属するべき装置であるかを判断する＜Ｓ４００６＞。
【００６３】
＜Ｓ４００６＞では、監視制御装置が新たに取得したPort行列の「接続無線アクセス装置IPアドレス」に、監視制御装置の監視対象リストに登録されていないIPアドレスが含まれていたとき、監視制御装置はそのIPアドレスを持つ無線アクセス装置を監視制御下に属するべきと判断する。
【００６４】
＜Ｓ４００６＞での判断の結果、監視制御下に属するべき装置であれば、監視制御装置４１は無線アクセス装置４３に対して接続確認を送信する＜Ｓ４００７＞。
【００６５】
無線アクセス装置４３は監視制御装置４１から接続確認を受信したら、監視制御装置４１に対して接続確認結果として接続要求を返信する＜Ｓ４００８＞。
【００６６】
監視制御装置４１は無線アクセス装置４３から接続確認結果としての接続要求を受信したら、監視対象下にある無線アクセス装置の情報を管理する監視対象リスト４１１（図４Ｂ参照）に無線アクセス装置４３の情報を格納する為に、無線アクセス装置４３に対してＰｏｒｔ行列取得要求を送信する＜Ｓ４００９＞。
【００６７】
無線アクセス装置４３は監視制御装置４１からＰｏｒｔ行列の取得要求を受信すると、Ｐｏｒｔ行列のデータを送受信部から送信する＜Ｓ４０１０＞。
【００６８】
＜Ｓ４０１０＞で送信されるＰｏｒｔ行列４３１には図４Ｂに示すように「Ｐｏｒｔ番号」列に"ＰｏｒｔＹ"、「隣接無線アクセス装置ＩＰアドレス」列に"ｉｐＡｄｄ−００１"の情報をもつ行４３１１が存在する。"ＰｏｒｔＸ"の「隣接無線アクセス装置ＩＰアドレス」については、ＰｏｒｔＸを使用していなければ"０．０．０．０"、別の無線アクセス装置と接続中であればその無線アクセス装置のＩＰアドレス情報が格納される。
【００６９】
監視制御装置４１は無線アクセス装置４３からＰｏｒｔ行列取得要求結果４３１を送受信部から受信すると、監視制御装置４１は監視対象リスト４１１にＰｏｒｔ行列４３１の情報を追加した新たな監視対象リスト４１２（図４Ｂ参照）を作成する＜Ｓ４０１１＞ことで、監視制御装置４１はあらかじめ無線アクセス装置４３の情報を登録していなくても、隣接する無線アクセス装置４２を経由することで、無線アクセス装置４３を自動認識して監視制御下に追加することが可能となる。
【００７０】
図５Ａは監視制御装置５１（図１における監視制御装置１０、図２における監視制御装置２１、図３Ａにおける監視制御装置３１）、既に監視制御下にある無線アクセス装置５２（図１における無線アクセス装置１１、図２における無線アクセス装置２２〜２４、図３Ａにおける無線アクセス装置３１）と５３（図１における無線アクセス装置１２〜１６）から成り、無線アクセス装置５２と５３は有線または無線インターフェースを介して接続中である。
【００７１】
無線アクセス装置５２，５３は少なくとも有線または無線のいずれかで同じインターフェースであるＰｏｒｔＸ，Ｙを有し、無線アクセス装置５２はＰｏｒｔＸを、無線アクセス装置５３はＰｏｒｔＹを用いて無線アクセス装置間接続を行うものとし、無線アクセス装置５２のＩＰアドレスはｉｐＡｄｄ−００１、無線アクセス装置５３のＩＰアドレスはｉｐＡｄｄ−００２とする。
【００７２】
無線アクセス装置５２と５３が既に監視制御下にあることから、図５Ｂ（ａ）に示すように、監視制御装置５１が持つ監視対象リスト５１１には、「監視対象無線アクセス装置」列に"ｉｐＡｄｄ−００１"、「隣接無線アクセス装置ＩＰアドレス／ＰｏｒｔＸ」列に"ｉｐＡｄｄ−００２"の情報を持つ行５１１１と、「監視対象無線アクセス装置」列に"ｉｐＡｄｄ−００２"、「隣接無線アクセス装置ＩＰアドレス／ＰｏｒｔＹ」列に"ｉｐＡｄｄ−００１"の情報を持つ行５１１２が存在する。
【００７３】
行５１１１の「隣接無線アクセス装置ＩＰアドレス／ＰｏｒｔＹ」列と、行５１１２の「隣接無線アクセス装置ＩＰアドレス／ＰｏｒｔＸ」列は、該当Ｐｏｒｔを使用していなければ"０．０．０．０"、別の無線アクセス装置と接続中であればその無線アクセス装置のＩＰアドレス情報が格納される。
【００７４】
本動作開始時、図５Ｂ（ｂ）に示される無線アクセス装置５２が有するＰｏｒｔ行列５２１には、「Ｐｏｒｔ番号」列に"ＰｏｒｔＸ"、「隣接無線アクセス装置ＩＰアドレス」列に"ｉｐＡｄｄ−００２"の情報をもつ行５２１１が存在する。"ＰｏｒｔＹ"の「隣接無線アクセス装置ＩＰアドレス」については、ＰｏｒｔＹを使用していなければ"０．０．０．０"、別の無線アクセス装置と接続中であればその無線アクセス装置のＩＰアドレス情報が格納される。
【００７５】
無線アクセス装置５２が無線アクセス装置５３とのデータリンク層における接続が切断されたと判断したとき＜Ｓ５００１＞、無線アクセス装置５２では、図５Ｂ（ｃ）に示される、Ｐｏｒｔ行列更新処理部にてＰｏｒｔ行列５２１から隣接する無線アクセス装置５３の情報である行５２１１の「隣接無線アクセス装置ＩＰアドレス／ＰｏｒｔＸ」列の"ｉｐＡｄｄ−００２"を"０．０．０．０"に更新する＜Ｓ５００２＞。その結果Ｐｏｒｔ行列に状態変化が発生する為、無線アクセス装置５２は状態変化通知部から監視制御装置５１に対して状態変化を通知する＜Ｓ５００３＞。
【００７６】
監視制御装置５１は無線アクセス装置５２からＰｏｒｔ行列に状態変化があったことを示す通知を状態変化通知処理部にて受信すると、無線アクセス装置５２が持つＰｏｒｔ行列の情報を取得するため、送受信部から無線アクセス装置５２に対してＰｏｒｔ行列取得要求を送信する＜Ｓ５００４＞。無線アクセス装置５２は監視制御装置５１からＰｏｒｔ行列の取得要求を受信すると、Ｐｏｒｔ行列のデータを送受信部から送信する＜Ｓ５００５＞。
【００７７】
＜Ｓ５００５＞で送信される、図５Ｂ（ｄ）に示されるＰｏｒｔ行列５２２には、＜Ｓ５００２＞の結果である行５２１１「隣接無線アクセス装置ＩＰアドレス／ＰｏｒｔＸ」列の"ｉｐＡｄｄ−００２"を"０．０．０．０"が格納されている。
【００７８】
監視制御装置５１は無線アクセス装置５２からＰｏｒｔ行列取得要求結果５２２を送受信部から受信すると、監視対象リスト５１１とＰｏｒｔ行列５２２を比較し、監視対象リスト５１１の無線アクセス装置５２に該当する「監視対象無線アクセス装置」列に"ｉｐＡｄｄ−００１"の行について、「隣接無線アクセス装置ＩＰアドレス／ＰｏｒｔＸ」列"ｉｐＡｄｄ−００２"が"０．０．０．０"に変更されたことを検知する。
【００７９】
監視制御装置５１は監視対象リスト５１１に「監視対象無線アクセス装置」列に、"ｉｐＡｄｄ−００２"の情報、行５１１２があることを確認する＜Ｓ５００６＞と、監視対象無線アクセス装置＝"ｉｐＡｄｄ−００２"、すなわち無線アクセス装置５３に対して切断確認要求を送信する＜Ｓ５００７＞。  ＜Ｓ５００６＞では、監視制御装置がある無線アクセス装置から取得したPort行列において、それまで監視制御装置が保持していたリストには登録されていた「接続無線アクセス装置IPアドレス」が削除されていたとき、そのIPアドレスを持つ無線アクセス装置を切断対象と判断する。
【００８０】
切断確認の結果、応答がなければ、監視対象リストからそのIPアドレスを持つ無線アクセス装置を削除する。
【００８１】
切断確認の結果、応答があれば、そのIPアドレスを持つ無線アクセス装置の情報は監視対象リスト上に残しておくこれは、応答があるということは、そのIPアドレスを持つ無線アクセス装置は必ず他の無線アクセス装置経由で監視制御装置との通信が可能な状態にある為による。
【００８２】
本実施例の場合には、無線アクセス装置５２と５３のデータリンク層における接続が切断されているため、切断確認要求＜Ｓ５００７＞に対する返信はなく、無線アクセス装置５３とのアプリケーション層における接続が切断されたと判断する＜Ｓ５００８＞。
【００８３】
監視制御装置５１は無線アクセス装置５３との通信が切断されたと判断すると、監視対象リストから無線アクセス装置５３に該当する行を削除し、新たに監視対象リスト５１２を作成する＜Ｓ５００８＞。本動作により監視制御装置は監視制御する必要がなくなった無線アクセス装置５３を監視対象外とすることを自動で判断することが可能となる。
【００８４】
以下に、Port行列の変更に伴う監視対象リスト、Port行列の具体例について説明する。
【００８５】
図６に示すように、監視制御装置ＮＭＳと無線アクセス装置Ａ−Ｄ（ＩＰアドレス：ａ−ｄ）が直列に接続されている状態で、無線アクセス装置Ｂ−Ｃ間が切断され、無線アクセス装置Ｂから監視制御装置ＮＭＳに対してＰｏｒｔ行列状態変化通知がなされる。
【００８６】
図７および図８のそれぞれは、上記のＰｏｒｔ行列状態変化通知が行われるまでに監視制御装置ＮＭＳが保持していた監視対象リスト、Ｐｏｒｔ行列状態変化通知が行われた後に監視制御装置ＮＭＳが無線アクセス装置Ｂから取得したPort行列を示す図である。
【００８７】
監視制御装置ＮＭＳは、図７中の（※１）と図８中の（※２）の比較の結果、IPアドレス”ｃ”を持つ無線アクセス装置を切断対象とする。接続確認の
結果、上記構成の場合ＩＰアドレス”ｃ”に対する応答がない為、監視対象リス
トからそのＩＰアドレス”ｃ”を持つ無線アクセス装置を削除、すなわち（Ｌ３
）を削除する。この場合、実際の動作としては、Ｂ−Ｃ間が切断すれば、ＣだけでなくＤも監視対象下から外れる。
【００８８】
また、（Ｌ３）を削除する際に、（Ｌ３）に含まれる接続無線アクセス装置ＩＰアドレスがその他の行に登録されているか確認する。例えば、ＩＰアドレス”ｂ”ならば（Ｌ１）に存在するが、ＩＰアドレス”ｄ”は（Ｌ３）にしか存在しない。その場合ＩＰアドレス”ｄ”を持つ無線アクセス装置も切断対象と判断する（（Ｌ３）削除と、ＩＰアドレス”ｄ”に対する接続確認の順番については言及しないが、削除する前に切断対象が含まれていないかは確認する）。
【００８９】
次に、図９に示すように、無線アクセス装置Ａ−Ｄがリング状に接続された構成について説明する。
【００９０】
無線アクセス装置Ｂ−Ｄ間が切断され、無線アクセス装置ＢとＤから監視制御装置ＮＭＳに対してに対してＰｏｒｔ行列状態変化通知がなされる。
【００９１】
図１０ないし図１２のそれぞれは、上記のＰｏｒｔ行列状態変化通知が行われるまでに監視制御装置ＮＭＳが保持していた監視対象リスト、Ｐｏｒｔ行列状態変化通知が行われた後に監視制御装置ＮＭＳが無線アクセス装置Ｂから取得したPort行列、Ｐｏｒｔ行列状態変化通知が行われた後に監視制御装置ＮＭＳが無線アクセス装置Ｄから取得したPort行列、を示す図である。
【００９２】
監視制御装置ＮＭＳは、無線アクセス装置Ｂから取得したＰｏｒｔ行列について、上記（※１）と（※３）の比較の結果、ＩＰアドレス”ｄ”を持つ無線ア
クセス装置を切断対象とする。
【００９３】
接続確認の結果、上記構成の場合ＩＰアドレス”ｄ”に対する応答がある為（
リング構成の場合無線アクセス装置Ｃ経由で無線アクセス装置Ｄと接続可能）、そのＩＰアドレス”ｄ”を持つ無線アクセス装置、すなわち（Ｌ４）はそのまま
残す。
【００９４】
同様に、無線アクセス装置Ｄから取得したＰｏｒｔ行列にて、上記（※２）と（※４）の比較の結果、ＩＰアドレス”ｂ”を持つ無線アクセス装置を切断対象
とするが、接続確認の結果、ＩＰアドレス”ｂ”に対する応答がある為そのＩＰ
アドレス”ｂ”を持つ無線アクセス装置、すなわち（Ｌ２）はそのまま残す。
【００９５】
以上説明した実施例では、無線アクセス装置が新たに追加されたとき、および無線アクセス装置が削除されたときの例を示したが、無線アクセス装置の"移設"にも本発明は有効である。
【００９６】
本発明で対象とする無線アクセス装置の監視制御システムでは、実運用時、ある無線アクセス装置に隣接して運用していた無線アクセス装置を一旦切断し、別の無線アクセス装置に接続しなおして使用するケースが考えられる。しかし従来の技術ではあらかじめ監視制御装置に登録しておいた無線アクセス装置群の情報を更新する必要があり、移設に影響がない無線アクセス装置に対する運用にまでも影響が出る場合あった。
【００９７】
本発明では図５の動作例で示すように一旦切断された無線アクセス装置は監視制御装置が有する監視対象リストから削除されるため、移設後の無線アクセス装置は図４の動作例で示すようにまったく新しい無線アクセス装置と同等に扱うことが可能である。
【図面の簡単な説明】
【００９８】
【図１】本発明における無線アクセス装置監視制御システムの構成図である。
【図２】本発明における監視制御システムのプロトコルスタック図である。
【図３Ａ】本発明における監視制御システムの装置構成図である。
【図３Ｂ】図３Ａ中のＰｏｒｔ行列３１１、監視対象リスト３２１の構成を示す図である。
【図４Ａ】監視制御装置が任意の無線アクセス装置群の監視制御を開始した状態にあって、新たな無線アクセス装置が追加された場合の動作を示すフローチャートである。
【図４Ｂ】図４Ａによる動作中のＰｏｒｔ行列４２１、監視対象リスト４１１の構成を示す図である。
【図５Ａ】監視制御装置が任意の無線アクセス装置群の監視制御を開始した状態にあって、ある無線アクセス装置が削除された場合の動作を示すフローチャートである。
【図５Ｂ】図５Ａによる動作中のＰｏｒｔ行列５２１、監視対象リスト５１１の構成を示す図である。
【図６】監視制御装置ＮＭＳと無線アクセス装置Ａ−Ｄの接続状態を示す図である。
【図７】Ｐｏｒｔ行列状態変化通知が行われるまでに監視制御装置ＮＭＳが保持していた監視対象リストを示す図である。
【図８】Ｐｏｒｔ行列状態変化通知が行われた後に監視制御装置ＮＭＳが無線アクセス装置Ｂから取得したPort行列を示す図である。
【図９】監視制御装置ＮＭＳと無線アクセス装置Ａ−Ｄの接続状態を示す図である。
【図１０】Ｐｏｒｔ行列状態変化通知が行われるまでに監視制御装置ＮＭＳが保持していた監視対象リストを示す図である。
【図１１】Ｐｏｒｔ行列状態変化通知が行われた後に監視制御装置ＮＭＳが無線アクセス装置Ｂから取得したPort行列を示す図である。
【図１２】Ｐｏｒｔ行列状態変化通知が行われた後に監視制御装置ＮＭＳが無線アクセス装置Ｄから取得したPort行列を示す図である。
【符号の説明】
【００９９】
３１    無線アクセス装置
３２    監視制御装置
３１１    Ｐｏｒｔ行列
３１２    状態変化通知部
３１３    Ｐｏｒｔ行列更新処理部
３１４    送受信部
３２１    監視対象リスト
３２２    状態変化通知処理部
３２３    監視対象判別処理部
３２４    送受信部
【図１】
2007208703.tif 000003
【図２】
2007208703.tif 000004
【図３Ａ】
2007208703.tif 000005
【図３Ｂ】
2007208703.tif 000006
【図４Ａ】
2007208703.tif 000007
【図４Ｂ】
2007208703.tif 000008
【図５Ａ】
2007208703.tif 000009
【図５Ｂ】
2007208703.tif 000010
【図６】
2007208703.tif 000011
【図７】
2007208703.tif 000012
【図８】
2007208703.tif 000013
【図９】
2007208703.tif 000014
【図１０】
2007208703.tif 000015
【図１１】
2007208703.tif 000016
【図１２】
2007208703.tif 000017